(57)【要約】【課題】収納部の中で、本体底面は平らで怪我をしない。【解決手段】被加熱物を加熱する加熱手段１２と、加熱手段１２の火力を操作する制御部１０と、制御部１０に電力を供給する電源部３０と、電源部３０に電力を供給し本体７を接地するために本体７とネジ８０で固定するアース線８７を有した電源コード８５と、電源部３０を固定する絶縁物で成形された下ケース１０ｂとを備え、下ケース１０ｂには、ネジ８０の径より太くネジ８０の長さより深い有底のネジ先収納穴１０ｇを有したネジ先収納部１０ｄを設け、本体７の底面７ｇには、ネジ先収納部１０ｄの厚さより高い鉤型状の切り起し部７ｂと、切り起し部７ｂの上面にネジ８０を締めこむネジ締結穴７ｃを設け、切り起し部７ｂにネジ先収納部１０ｄを挿入しアース線８７と前記上面とをネジ８０によって締め付け、ネジ８０の先端をネジ先収納部１０ｄに収納して固定する。【選択図】  図１０
2012237521.tif 000002
【特許請求の範囲】
【請求項１】
本体と、被加熱物を加熱する加熱手段と、前記加熱手段の火力を操作する制御部と、前記制御部に電力を供給する電源部と、該電源部に電力を供給し前記本体を接地するために該本体とネジで固定するアース線を有した電源コードと、前記電源部を固定する絶縁物で成形された下ケースとを備え、前記下ケースには、前記ネジの径より太く該ネジの長さより深い有底のネジ先収納穴を有したネジ先収納部を設け、前記本体の底面には、前記ネジ先収納部の厚さより高い鉤型状の切り起し部と、該切り起し部の上面に前記ネジを締めこむネジ締結穴とを設け、前記切り起し部に前記ネジ先収納部を挿入し前記アース線と前記上面とを前記ネジによって締め付け、前記ネジの先端を前記ネジ先収納部に収納して固定することを特徴とする加熱調理器。
【請求項２】
本体と、被加熱物を加熱する加熱手段と、前記加熱手段の火力を操作する制御部と、該制御部を固定し前記本体の底面にネジで固定する絶縁物で成形された下ケースとを備え、前記下ケースには、前記ネジを締めるために該ネジの長さより深い有底のネジ穴を有した固定片を設け、前記本体の底面には、前記固定片の厚さより高い鉤型状の切り起し部と、該切り起し部の上面に前記ネジを貫通する貫通穴とを設け、前記切り起し部に前記固定片を挿入し前記上面から前記ネジを貫通し、前記ネジ穴に締め付けて固定することを特徴とする加熱調理器。
【発明の詳細な説明】
【技術分野】
【０００１】
本発明は、加熱調理器の組立性や安全性に関するものである。
【背景技術】
【０００２】
従来、この種の加熱調理器は、被加熱物を加熱する加熱手段を制御する制御手段を設けた基板をネジで本体に固定しているものである。
【０００３】
例えば、特許文献１に示されている図２，図３に示されているように、本体ケースの底部に回路基板を載せる基板ケースを配置し、本体ケースの底部に絞り部を設け、その絞り部上面の基板ケースの開口部を通して、本体ケースにアース接続端子を底面からネジを挿入して絞り部上面でナットで固定し、基板ケース上方に設けた回路基板のスルーホールに、アース接続端子の脚部をはんだなどで固定したり、図５に示されているように回路基板と基板ケースをアース接続端子で接続し、基板ケースに導電体を設けて、基板ケースの上から本体ケースの絞り部にネジを締めて絞り部にネジ先端を突出させ、回路基板と本体ケースのアースを接続するものがある。
【先行技術文献】
【特許文献】
【０００４】
【特許文献１】特開２０１０−１４０６５７号公報
【発明の概要】
【発明が解決しようとする課題】
【０００５】
上記した特許文献１記載の誘導加熱調理器は、本体底面を絞った中にネジの先端が突出したりしているので、設置台を掃除するために本体を持ち上げて手探り状態で拭き掃除などを行うと本体底面の凹凸で怪我することも考えられ、また、衣類の袖口を引っ掛けて破損するという問題があった。
【０００６】
また、設置業者が設置時に抱えて作業するときに、指を前記底面の絞った中に入れて怪我をすることも考えられる。
【０００７】
そして、本体底面からネジを締めると組立性や設置後のサービス性が悪いという問題もあった。
【課題を解決するための手段】
【０００８】
本発明は上記の問題を解決するためになされたものであり、請求項１では、本体と、被加熱物を加熱する加熱手段と、前記加熱手段の火力を操作する制御部と、前記制御部に電力を供給する電源部と、該電源部に電力を供給し前記本体を接地するために該本体とネジで固定するアース線を有した電源コードと、前記電源部を固定する絶縁物で成形された下ケースとを備え、前記下ケースには、前記ネジの径より太く該ネジの長さより深い有底のネジ先収納穴を有したネジ先収納部を設け、前記本体の底面には、前記ネジ先収納部の厚さより高い鉤型状の切り起し部と、該切り起し部の上面に前記ネジを締めこむネジ締結穴とを設け、前記切り起し部に前記ネジ先収納部を挿入し前記アース線と前記上面とを前記ネジによって締め付け、前記ネジの先端を前記ネジ先収納部に収納して固定するものである。
【０００９】
また、請求項２では、本体と、被加熱物を加熱する加熱手段と、前記加熱手段の火力を操作する制御部と、該制御部を固定し前記本体の底面にネジで固定する絶縁物で成形された下ケースとを備え、前記下ケースには、前記ネジを締めるために該ネジの長さより深い有底のネジ穴を有した固定片を設け、前記本体の底面には、前記固定片の厚さより高い鉤型状の切り起し部と、該切り起し部の上面に前記ネジを貫通する貫通穴とを設け、前記切り起し部に前記固定片を挿入し前記上面から前記ネジを貫通し、前記ネジ穴に締め付けて固定するものである。
【発明の効果】
【００１０】
本発明によれば、本体底には、ネジの先端が出ていないので、取扱時による怪我を無くすることができる。また、本体の底面側からのネジ締めが無いので、組立性や設置後のサービス性がよい。
【図面の簡単な説明】
【００１１】
【図１】本発明の一実施例を示す誘導加熱調理器をキッチンに組込んだ外観斜視図である。
【図２】同じく、加熱調理器をキッチンに組込んだ左側面図である。
【図３】同じく、加熱調理器の後部から見た斜視図である。
【図４】同じく、加熱調理器の左側面の固定穴に固定金具を装着してキッチンに組込んだ状態を下から仰ぎから見た斜視図である。
【図５】同じく、加熱調理器のトッププレート組を外した本体内部の構造図である。
【図６】同じく、加熱調理器の加熱コイルとダクトを外した本体内部の構造図である。
【図７】同じく、加熱調理器の本体の斜視図である。
【図８】同じく、加熱調理器の下ケースの上面図である。
【図９】同じく、加熱調理器の下ケースの斜視図である。
【図１０】同じく、加熱調理器の切り起し部のアース線接続部の説明図である。
【図１１】図１０のアース線接続部のＡＡ断面図である。
【図１２】本発明の一実施例を示す、加熱調理器の下ケースとダクトの締結部の断面図である。
【発明を実施するための形態】
【００１２】
本発明の一実施例を、システムキッチンに嵌め込むビルトイン型の加熱調理器を例に、図１から図１２に従って説明する。
【００１３】
図１から図４において、１はキッチンで、カウンタートップ１ａの下部に箱型の収納部１ｂを設け、扉１ｃとその上部の側板１ｅで前面を覆っている。カウンタートップ１ａに設けた取り付け穴１ｄの上面から本体７を落とし込み、本体のフランジ部７ａ（図５）で支える。
【００１４】
図４において、本体７は金属製の導電体で、カウンタートップ１ａに設けた取り付け穴１ｄの上部から落とし込み易いように、本体７の底面７ｇが取り付け穴１ｄより面積が小さくなるように、本体７の前側側面である前面側面７ｆは本体内側に傾斜している。
【００１５】
図３において、本体７の左側側面である左側面７ｊの本体奥行きの略中央に固定穴６０Ｌを備え、本体７の右側側面である右側面７ｋ（図５）にも、本体奥行きの略中央に固定穴６０Ｌと同一の固定穴６０Ｒ（図示せず）を備える。固定穴６０Ｌ，６０Ｒは、横固定金具６１を装着して図２のように本体７を固定する穴である。
【００１６】
また、本体７の奥側側面である後面７ｐの本体幅の略中央に設けた固定穴７０に回動して収納する固定金具７１を備える。この固定穴７０の内側に、固定穴７０側の側面が開口し、排気口２４（図５）の内部の一部に出っ張った箱状の支持部材７３（図５）を設け上下に貫通させ右ネジ７２（図５）の回転に連れて固定金具７１の雌ネジによって固定金具７１が上昇して図２のように本体７を固定する。
【００１７】
図１，図２において、キッチン１の収納部１ｂの中に手を入れて本体７を固定するため、設置後も、収納部１ｂの上面で本体７の底面７ｇは剥き出しになっている。そして、この収納部１ｂは、調味料や台所用品などを収納して頻繁に出し入れする場所である。
【００１８】
図３において、加熱調理器の本体７の上面にはトッププレート２が水平に配置されている。
【００１９】
トッププレート２は、耐熱性の高い結晶化ガラス製の厚さ約４mmのもので構成され、鉄等の磁性体又はアルミ等の非磁性体よりなる鍋等の調理容器を載置する。このトッププレート２には、鍋を載置する位置を円で示す前側鍋載置部５，奥側鍋載置部６を設ける。
【００２０】
前側鍋載置部５，奥側鍋載置部６に対応するようにトッププレート２の下方で本体７内の上部に、環状に形成された加熱手段１２である前側加熱コイル８，奥側加熱コイル９（図５）が夫々本体７の左前と右後で対角に配置されており、トッププレート２に載置された鍋等を誘導加熱する。
【００２１】
図３において、トッププレート２の周囲は枠２ａで覆われ、枠２ａの前部には操作表示部４を、後部には排気出口２ｂを備え、排気出口２ｂを覆い着脱自在の排気カバー３を備えている。これらによりトッププレート組１９を構成する。
【００２２】
排気カバー３は、排気出口２ｂに異物が入るのを防止すると同時に通気を確保するために、板金にパンチングメタルや桟によって数ミリの丸穴やスリット穴を構成している。また、清掃性に配慮して排気カバー３は枠２ａに載置するだけであり、前述の丸穴やスリット穴や、排気カバー３の周囲と枠２ａの隙間から、排気出口２ｂに水が浸入するものである。
【００２３】
操作表示部４は、前側加熱コイル８，奥側加熱コイル９に対応した前側操作部２０，奥側操作部２１と、前側表示部２２，奥側表示部２３とが設けられている。前側加熱コイル８，奥側加熱コイル９の通電状態の設定や操作を行い、通電状態等を表示する。
【００２４】
図４において、本体底面７ｇの前側略中央に吸気口１６ａを、左側に吸気口１７ａを、右側中ほどに吸気口１８ａを設ける。これら吸気口１６ａ，１７ａ，１８ａに対応して後述するメインファン１６，前側ファン１７，奥側ファン１８（図５）を本体７に備える。そして、これらの吸気口１６ａ，１７ａ，１８ａはカウンタートップ１ａ下の収納部１ｂに面して配置され、収納部１ｂの空気を吸気する。
【００２５】
更に、収納部１ｂに面する本体底面７ｇの後端に近接して、数ミリの丸孔で複数の孔の列からなる排水孔９０が配置されている。
【００２６】
図５から図６において、インバータ部１１は、前側加熱コイル８の下方に配置され、前側加熱コイル８と奥側加熱コイル９に高周波電力を供給する。
【００２７】
インバータ部１１は奥側にスイッチング素子を取付けたヒートシンク１１ｂと、その他の発熱部品を搭載して高周波電力を発生している。本体７の高さを低くして設置性に配慮しているので、前側加熱コイル８の下方には、前側ファン１７を配置するが、ヒートシンク１１ｂを配置する十分な間隙が確保できないためである。そして、ダクト１１ａでヒートシンク１１ｂや発熱部品を囲んでいる。
【００２８】
本体７の前側中央部には、インバータ部１１を冷却するために、本体底面７ｇに有した吸気口１６ａより外気を吸気し、本体７の後向きに送風するメインファン１６が設けられている。メインファン１６はシロッコファンである。メインファン１６からダクト１１ａで誘導された冷却風は、インバータ部１１に搭載されたヒートシンク１１ｂや発熱部品を冷却して、本体７の前側から後側へと流れ効率よく冷却する。
【００２９】
また、前側加熱コイル８の下部には本体７の底面７ｇに有した吸気口１７ａより外気を吸気し、前側加熱コイル８を専用に冷却する前側ファン１７を設ける。
【００３０】
前側ファン１７は、前側加熱コイル８の下からコイルの下面に当てるのと同時に、内側コイルと外側コイルの間隙からコイルの上面を流れる。
【００３１】
さらに、奥側加熱コイル９の下部には本体７の底面７ｇに有した吸気口１８ａより外気を吸気して、奥側加熱コイル９を専用に冷却する奥側ファン１８を設ける。
【００３２】
同様に、奥側ファン１８は、奥側加熱コイル９の下からコイルの下面に当てるのと同時に、内側コイルと外側コイルの間隙から奥側加熱コイル９の上面を流れる。前側ファン１７，奥側ファン１８は、プロペラファンである。
【００３３】
制御部１０は、奥側加熱コイル９の下方に配置され、前側操作部２０や奥側操作部２１から制御部１０への入力に基づきインバータ部１１を制御し、前側加熱コイル８や奥側加熱コイル９へ供給する電力を制御する。また、加熱時は前側加熱コイル８や奥側加熱コイル９に備える温度センサ２５からの情報に基づきインバータ部１１を制御して前記同様に前側加熱コイル８や奥側加熱コイル９へ供給する電力を制御する。
【００３４】
図６において、制御部１０は下ケース１０ｂの部品取付面１０ｃ（図８）に係止されて下ケース１０ｂにより本体７に固定している。制御部１０の奥側には電源部３０を一体に備え、奥上ケース１０ｐが一部を覆っている。
【００３５】
図５において制御部１０の前側上部には前上ケース前１０ａが被って、奥上ケース１０ｐの上部に奥側加熱コイル９が配置されている。
【００３６】
図６において、電源部３０は、本体７で発生する電源ノイズを後面７ｐから本体７に入った３芯の単相２００Ｖの電源コード８５から流出するのを抑えるもので、図１０のように電源コード８５の電源線８６の２本を端子台３０ａにネジで接続する。
【００３７】
図７は本体７の斜視図で、本体７の後面７ｐの近辺に、鉤型状の切り起し部７ｂを設け、切り起し部７ｂの上面には２個のネジ締結穴７ｃを備える。２個のネジ締結穴７ｃの近辺にアースマーク７ｎの刻印を設けている。切り起し部７ｂの前側には切り起し部７ｂの材料取りをした抜き穴７ｓが形成されている。
【００３８】
また、切り起し部７ｂの左に前後に並べた鉤型状の切り起し部７ｅを備える。切り起し部７ｅの上面には貫通穴７ｄを備え、前側に抜き穴７ｈが形成されている。
【００３９】
また、右側面７ｋに貫通穴７ｒを備える固定片７ｍ（図６，図７）を備える。
【００４０】
図９において、制御部１０を固定する下ケース１０ｂは、絶縁物からなる樹脂の成形品で外周底面１０ｒは本体７の底面７ｇに載置する面で、部品取付面１０ｃに制御部１０を係止する。
【００４１】
図８において、下ケース１０ａの右端の奥側と前側には、有底のネジ穴１０ｍを備え、本体７の固定片７ｍ（図７）にネジで固定する。また、下ケース１０ａの左端の奥側と前側には、上面１０ｋから有底のネジ穴１０ｊを備えた固定片１０ｅを備える。
【００４２】
図１２を用いて、固定片１０ｅでの固定構造を説明する。固定片１０ｅを切り起し部７ｅに挿入（切り起し部７ｅの高さは固定片１０ｅの厚みより多少大きく設ける）すると、本体７の底面７ｇの抜き穴７ｈが、固定片１０ｅの底面によって塞がれる。切り起し部７ｅの上にダクト１１ａのフランジ部１１ｃを載せて、ネジ１０１をフランジ部１１ｃの貫通穴１１ｄと切り起し部７ｅの貫通穴７ｄに貫通させて、固定片１０ｅのネジ穴１０ｊにネジ締結する。
【００４３】
この時、ダクト１１ａを設けない場合は、ネジ１０１を切り起し部７ｅの貫通穴７ｄに貫通させて、固定片１０ｅのネジ穴１０ｊにネジ締結して固定することもできる。
【００４４】
図９と図１０において、下ケース１０ａの右端中ほどには奥側ファン１８を保持し、本体７の底面７ｇの吸気口１８ａに対向するように丸穴１０ｔを備えたファン保持部１０ｓを設ける。そのファン保持部１０ｓの奥には、電源線８６の固定ブッシュ１０ｕを備え、固定ブッシュ１０ｕの奥に、電源コード８５をクランプ８９で固定する固定部１０ｖを設けている。
【００４５】
固定部１０ｖの近傍には、上面１０ｈに２つの有底のネジ先収納穴１０ｇを設けたネジ先収納部１０ｄを設ける。
【００４６】
図８において、ネジ先収納部１０ｄの高さは、本体底面７ｇの鉤型状の切り起し部７ｂの下側に挿入できる高さである。
【００４７】
図１０は、本体７の後面７ｐ，右側面７ｋを透過した本体７右奥の切り起し部７ｂの斜視図である。図１１は図６のＡＡ段面で切り起し部７ｂを示す。
【００４８】
図１０において、本体７に固定された下ケース１０ｂでは、ネジ先収納穴１０ｇは切り起し部７ｂの下側に前から奥側に向かって挿入されて、奥側と上面から切り起し部７ｂで覆われている。
【００４９】
固定部１０ｖには電源コード８５がクランプ８９を介してネジ８９ａで固定している。電源コード８５の２本の電源線８６は夫々固定ブッシュ１０ｕで固定されて、電源部３０の端子台３０ａにネジで固定されている。電源コード８５のアース線８７は先端の端子８７ａにネジ８０を通して、切り起し部７ｂのネジ締結穴７ｃに締め付けている。アース線８７はノイズ除去用のフェライトコアに巻きつけてから切り起し部７ｂのネジ締結穴７ｃに締め付けるものでもよい。そして、図１１に示すように、ネジ８０の先端は、下ケース１０ｂのネジ先収納部１０ｄのネジ先収納穴１０ｇに収まり、本体底面７ｇにネジ８０の先端が突出しない。
【００５０】
また、図１０において、電源部３０に接続するアースリード線８８は先端の端子８８ａにネジ８０を通して、切り起し部７ｂのもう一つのネジ締結穴７ｃに締め付けている。ネジ８０の先端は、ネジ先収納部１０ｄの穴１０ｇに収まり、本体７の底面７ｇにネジ８０の先端が突出しない。また、本体７から下ケース１０ｂの外れ防止にもなる。
【００５１】
これにより、本体７に収容する電気部品のアースとして電源部３０に接続されたアースリード線８８と、金属製で導電体として本体７の切り起し部７ｂと、設置場所の電源配線のアースに繋がる電源コード８５のアース線８７は、電気的に接続されている。しかも、図２に示すように、本体７の底面７ｇの下側に、アース線８７とアースリード線８８を固定するネジ８０が突出せず、本体７の底面７ｇは平らで凸凹がない。また、図４に示すように、切り起し部７ｂの前側に開く抜き穴７ｓは、ネジ先収納部１０ｄの平坦な底部で閉塞されている。同様に、切り起し部７ｅ前側に開く抜き穴７ｈは、固定片１０ｅの平坦な底部で閉塞されている。
【００５２】
以上で説明した本実施例によれば、下ケース１０ｂの外周にネジ先収納部１０ｄを設け、本体底面７ｇに、鉤型状の切り起し部７ｂを設け、切り起し部７ｂの上面に２個のネジ締結穴７ｃを設け、切り起し部７ｂにネジ先収納部１０ｄを本体７の底面７ｇに沿って挿入し切り起し部７ｂに並ぶ抜き穴７ｓを塞ぎ、切り起し部７ｂの上面に電源コード８５のアース線８７と電源部３０に繋がるアースリード線８８を２個のネジ締結穴７ｃにネジで固定するので、本体７の底面７ｇは平らで凹凸がないので、収納部１ｂ内の物を取出すときに本体７の底面７ｇで怪我をしない。また、衣類の袖口を引っ掛けて破損しない。また、設置業者が設置時に抱えて作業するときに、怪我をしない。そして、本体７の上側からネジ８０を締めるので、組立性や設置後のサービス性がよい。
【符号の説明】
【００５３】
１ａ  カウンタートップ
２  トッププレート
２ａ  枠
２ｂ  排気出口
３  排気カバー
４  操作表示部
７  本体
７ｂ，７ｅ  切り起し部
７ｃ  ネジ締結穴
７ｄ  貫通穴
７ｆ  前面側面
７ｇ  底面
７ｊ  左側面
７ｋ  右側面
７ｐ  後面
７ｓ  抜き穴
８  前側加熱コイル
９  奥側加熱コイル
１０  制御部
１０ｂ  下ケース
１０ｄ  ネジ先収納部
１０ｅ  固定片
１０ｇ  ネジ先収納穴
１０ｊ  ネジ穴
１１  インバータ部
１２  加熱手段
１６  メインファン
１６ａ，１７ａ，１８ａ  吸気口
１７  前側ファン
１８  奥側ファン
２４  排気口
３０  電源部
６０Ｌ，６０Ｒ，７０  固定穴
６１  横固定金具
７１  固定金具
７２  右ネジ
８０，１０１  ネジ
７３  支持部材
８５  電源コード
８７  アース線
８８  アースリード線
９０  排水孔
【図１】
2012237521.tif 000003
【図２】
2012237521.tif 000004
【図３】
2012237521.tif 000005
【図４】
2012237521.tif 000006
【図５】
2012237521.tif 000007
【図６】
2012237521.tif 000008
【図７】
2012237521.tif 000009
【図８】
2012237521.tif 000010
【図９】
2012237521.tif 000011
【図１０】
2012237521.tif 000012
【図１１】
2012237521.tif 000013
【図１２】
2012237521.tif 000014